(57)【要約】【課題】電線に直接触れることなく、電線表面へのテープの巻き付けを可能とする。【解決手段】テープ巻用治具１０は、筒状の芯４の外面に巻き付けられている接着剤付テープ３を、電線表面１ａに巻き付けるために用いる治具であり、柱状のテープ設置部１３と、把持部１１と、遊持部１５とを備えている。テープ設置部１３には、芯４の内面が当接されて接着剤付テープ３が取り付けられる。また、把持部１１と遊持部１５は、各々、テープ設置部１３と同軸上に配置されており、把持部１１は、テープ設置部１３に対して、遊持部１５と反対側に配置されている。把持部１１は、テープを電線表面に巻き付ける際に把持可能に形成されており、遊持部１５は、テープを電線表面に巻き付ける際に遊持可能に形成されており、把持部１１よりも小径である。【選択図】図１
2007028730.tif 000002
【特許請求の範囲】
【請求項１】
筒状の芯の外面に巻き付けられている接着剤付テープを、対象物表面に巻き付けるためのテープ巻用治具であって、
前記芯の内面が当接される柱状のテープ設置部と、
前記テープ設置部の軸方向と略平行に延びて配置された把持部と、
前記テープ設置部と同軸上に配置され、前記対象物表面に前記接着剤付テープを巻き付ける際に、前記接着剤付テープが回転自在となるよう遊持可能に形成された遊持部と、
を備えていることを特徴とするテープ巻用治具。
【請求項２】
請求項１に記載のテープ巻用治具において、
前記把持部は、前記テープ設置部および前記遊持部と同軸上に配置されていることを特徴とするテープ巻用治具。
【請求項３】
請求項１または２に記載のテープ巻用治具において、
軸方向への前記芯の移動を阻止する移動阻止手段を備えていることを特徴とするテープ巻用治具。
【請求項４】
請求項１から３の何れか一つに記載のテープ巻用治具において、
前記遊持部の先端には、該遊持部への遊持の解除を阻止する阻止具が設けられていることを特徴とするテープ巻用治具。
【請求項５】
請求項１から４の何れか一つに記載のテープ巻用治具において、
前記把持部は、前記テープ設置部に対して、前記遊持部の反対側に配置されていることを特徴とするテープ巻用治具。
【請求項６】
請求項１から５の何れか一つに記載のテープ巻用治具において、
前記把持部の表面には、滑り止め加工が施されていることを特徴とするテープ巻用治具。
【請求項７】
筒状の芯の外面に巻き付けられている接着剤付テープを、対象物表面に巻き付ける方法であって、
前記芯の内面が当接される柱状のテープ設置部と、該テープ設置部の軸方向と略平行に延びて配置された把持部と、前記テープ設置部と同軸上に配置され、前記対象物表面に前記接着剤付テープを巻き付ける際に、前記接着剤付テープが回転自在となるよう遊持可能に形成された遊持部、を有するテープ巻用治具を用い、
前記把持部を把持して、前記筒状の芯の外面に巻き付けられているテープを巻き付け面から取り出しながら前記対象物表面に巻き付けるステップと、
前記遊持部を遊持して、前記テープを前記巻き付け面からの取り出しを阻止しながら前記対象物表面に巻き付けるステップと、
を備えていることを特徴とするテープの巻き付け方法。
【発明の詳細な説明】
【技術分野】
【０００１】
本発明は、テープ巻用治具及びテープの巻き付け方法に関する。
【背景技術】
【０００２】
対象物表面にテープを巻き付けるとき、テープ巻用治具を用いる場合がある。
【０００３】
例えば、特許文献１には、自動車内の車載部品同士を電気的に接続する電線を束ねるための治具（テープ巻用治具）とその巻き方とが開示されている。このテープ巻用治具は、治具本体と案内手段とで構成され、治具本体は、束ねられた複数の電線をつかむことのできるように形成され、案内手段は、治具本体が複数の電線をつかんだ際に、複数の電線の外周に巻かれるように合成樹脂からなるテープを案内するように形成されている。このようなテープ巻用治具を用いて電線にテープを巻くことにより、組立作業の負担を軽減できる、と記載されている。
【０００４】
また、車載部品同士の接続電線を束ねる場合以外でも、例えば、電柱に架設されている電線の表面には、ビニールテープや自己癒着テープなどを巻き付けて電気的に絶縁させる場合がある。
【特許文献１】特開２００２−３５８８４４号公報
【発明の開示】
【発明が解決しようとする課題】
【０００５】
多くの場合、電線は、電柱の高所に架設されている。そのため、作業者は、電柱に昇って不自由な状態で電線にテープを巻き付けなければならない。さらに、電線が充電している場合、絶縁ヤットコ等を用い、遠隔操作によってテープ巻きを行わなければならず、相当な技術を要する。
【０００６】
本発明は、かかる点に鑑みてなされたものであり、その目的とするところは、安全な場所に居ながら、遠隔操作により、高所などの危険な場所でのテープの巻き付けを容易に行なうことができるテープ巻用治具及びその巻き付け方法に関する。
【課題を解決するための手段】
【０００７】
本発明のテープ巻用治具は、筒状の芯の外面に巻き付けられている接着剤付テープを、対象物表面に巻き付けるために、前記芯の内面が当接される柱状のテープ設置部と、前記テープ設置部の軸方向と略平行に延びて配置された把持部と、前記テープ設置部と同軸上に配置され、前記対象物表面に前記接着剤付テープを巻き付ける際に、前記接着剤付テープが回転自在となるよう遊持可能に形成された遊持部と、を備えている。
【０００８】
上記の構成により、例えば、把持部を把持可能な遠隔操作用の操作棒を用いて、対象物表面に接着剤付テープを巻き付けることができる。そのため、直接充電した電線に触れることなく電線に接着剤付テープを巻き付けることができる。
【０００９】
本発明のテープ巻用治具では、前記把持部は、前記テープ設置部および前記遊持部と同軸上に配置されていることが好ましい。このような構成により、テープ巻用治具を把持および遊持する際、同一の把持工具により同一の作業形態で行なうことができる。
【００１０】
また、本発明のテープ巻用治具では、前記芯の軸方向への移動を阻止する移動阻止手段を備えていることが好ましい。このような構成により、対象物表面に接着剤付テープを安定させて巻き付けることができる。
【００１１】
また、本発明のテープ巻用治具は、前記遊持部の先端には、該遊持部への遊持の解除を阻止する阻止具が設けられていることが好ましい。このような構成により、対象物表面に接着剤付テープを安定させて巻き付けることができる。
【００１２】
後述の好ましい実施形態では、前記把持部は、前記テープ設置部に対して、前記遊持部の反対側に配置されている。なお、前記把持部は、前記テープ設置部に対して、前記遊持部と同じ側に配置されていてもよい。
【００１３】
また、本発明のテープ巻用治具では、前記把持部の表面には、滑り止め加工が施されていることが好ましい。このような構成により、把持部を安定して把持することができる。よって、対象物表面に接着剤付テープを安定させて巻き付けることができる。
【００１４】
本発明のテープの巻き付け方法は、筒状の芯の外面に巻き付けられている接着剤付テープを、対象物表面に巻き付ける方法であり、前記芯の内面が当接される柱状のテープ設置部と、前記テープ設置部の軸方向と略平行に延びて配置された把持部と、前記テープ設置部と同軸上に配置され、前記対象物表面に前記接着剤付テープを巻き付ける際に、前記接着剤付テープが回転自在となるよう遊持可能に形成された遊持部と、を有するテープ巻用治具を用いる。そして、前記把持部を把持して、前記筒状の芯の外面に巻き付けられているテープを巻き付け面から取り出しながら前記対象物表面に巻き付けるステップと、前記遊持部を遊持して、前記テープを前記巻き付け面からの取り出しを阻止しながら前記対象物表面に巻き付けるステップと、を備えている。
【００１５】
上記の方法により、例えば、把持部を把持可能であり、且つ遊持部を遊持可能な把持部を有する操作棒を用いて、対象物表面に接着剤付テープを巻き付けることができる。そのため、直接電線に触れることなく、電線に接着剤付テープを巻き付けることができる。
【発明の効果】
【００１６】
本発明によれば、操作棒を用いて操作可能であるため、直接電線に触れることなく、高所に架設された電線にテープを巻き付けることができる。
【発明を実施するための最良の形態】
【００１７】
本発明の実施形態を説明する前に、本発明を完成するに至った過程を示す。
【００１８】
本願発明者らは、変形させて使用する接着剤付テープ（以下、「テープ」と記す）を対象物表面に巻き付けるための治具として、円柱状のテープ設置部と、テープ設置部と同軸上に配置され、互いに略同径の第１及び第２把持部とを備えたテープ巻用治具を試作した。そして、以下に示す方法に従って、電線にテープを巻き付けた。なお、テープを巻き付けるにあたり、延べ３本の遠隔操作用の操作棒を用いた。
【００１９】
まず、１本目の操作棒を用いて、テープの先端を電線表面に張り付けた。そして、２本目の操作棒を用意し、その操作棒で第１把持部を把持しながら、テープを伸ばした。次に、３本目の操作棒で第２把持部を把持し、テープを電線表面に巻き付けることを試みた。しかし、テープがどんどん出て行き対象物と離れていったため、電線表面にテープを巻き付けることができなくなった。
【００２０】
具体的には、図９（ａ）に示すように、第２把持部を把持した直後、テープ５３は、Ａ領域とＤ領域との境界から延びて電線表面に接着されていた。なお、図９（ａ）から（ｄ）に示す「Ａ」，「Ｂ」，「Ｃ」及び「Ｄ」は、いずれも、仮想領域である。
【００２１】
次に、第２把持部を把持したまま、テープ巻用治具を略４５°回転させると、テープ５３は、Ａ領域のある点から延びて、電線５１に巻き付けられた。すなわち、テープは、取り出し面から長さＬ１だけ取り出された。
【００２２】
続いて、第２把持部を把持したまま、テープ巻用治具をさらに略４５°回転させると、テープ５３は、Ａ領域とＢ領域との境界点から延びて、電線５１に巻き付けられた。すなわち、テープ５３は、取り出し面から長さＬ２だけ取り出された。
【００２３】
続いて、第２把持部を把持したまま、テープ巻用治具を更に略４５°回転させると、テープ５３は、Ｂ領域のある点から延びて、電線５１に巻き付けられた。すなわち、テープ５３は、取り出し面から長さＬ３だけ取り出された。
【００２４】
以上より、本願発明者らは、第１及び第２把持部を操作棒で把持する場合、対象物を１周巻くたびにテープも１周出ていくことになるので、対象物の直径がテープよりも小さい場合、テープが対象物と離れていくことに気がつき、改良を施して本願を完成させるに至った。
【００２５】
以下、本発明の実施形態を図面に基づいて詳細に説明する。なお、本発明は以下に示す実施形態に限定されない。
【００２６】
本実施形態では、図１乃至図８を用いて、電柱に架設された電線表面１ａに、テープ３を巻き付ける場合を例に挙げ、テープ巻用治具１０の構成とその治具を用いたテープ３の巻き付け方法とを示す。なお、図１は、テープを取り付ける前のテープ巻用治具１０の斜視図であり、図２は、テープを取り付けた後のテープ巻用治具の斜視図である。図３は、遠隔操作用の操作棒１０１の平面図である。図４から図７は、本実施形態におけるテープ３の巻き付け方法を示す工程図である。図８は、テープ３が電線表面１ａに巻き付けられる様子を示す図である。
【００２７】
本実施形態におけるテープ３は、円筒状の芯４の外面に巻き付けられた接着剤付テープであり、例えば、ビニールテープや自己癒着テープなどである。
【００２８】
では、テープ巻用治具１０の構成を示す。
【００２９】
図１及び図２に示すように、テープ巻用治具１０は、把持部１１と円柱状のテープ設置部１３と遊持部１５とを備え、各々は、同軸上に配置されてこの順に接続されている。テープ設置部１３は、戴置部１３ａと本体部１３ｂと螺合部１３ｃとで構成されており、各々は、金属製であり、テープ設置部１３と同軸上に、把持部１１側から遊持部１５側へ向かう方向においてこの順に接続されている。すなわち、テープ巻用治具１０は、把持部１１、戴置部１３ａ、本体部１３ｂ、螺合部１３ｃ、遊持部１５の順に接続されて形成されている。
【００３０】
把持部１１は、金属製の棒状部材の側面に、滑り止め防止加工が施されており、テープ３を電線表面１ａに巻き付ける際に、把持可能に形成されている。
【００３１】
戴置部１３ａは、本体部１３ｂよりも大径であるが、芯４よりも小径であり、軸下方への芯４の移動を阻止する。
【００３２】
本体部１３ｂは、側面にテープ３が取り付けられる。具体的には、芯４の内面が本体部１３ｂの外面に当接されて、テープ３が本体部１３ｂの側面に取り付けられる。
【００３３】
螺合部１３ｃの側面には、ねじ山が形成されており、固定具１４が螺合される。固定具１４は、芯４よりも大径に形成されているため、軸上方への芯４の移動を阻止する。すなわち、テープ巻用治具１０における移動阻止手段Ａは、戴置部１３ａと固定具１４とで構成されている。
【００３４】
遊持部１５は、金属製であり、先端へ向かう方向に関して、螺合部１３ｃよりも小径に形成された後、さらに径を小さくするようにテーパー状に形成され、その後、略一定の径を有するように長尺に形成されている。そのため、遊持部１５は、把持部１１よりも小径である。また、遊持部１５は、テープ３を電線表面１ａに巻き付ける際に、遊持可能に形成されている。そして、遊持部１５の先端の内壁面には、ねじ山（不図示）が形成されており、円盤状の遊持解除阻止具（阻止具）１６が螺合される。
【００３５】
テープ巻用治具１０では、把持部１１を把持可能な遠隔操作棒１０１，２０１，３０１を用いて、電線表面１ａにテープを巻き付ける。この遠隔操作棒１０１，２０１，３０１は、図３に示すように、操作部１０３と補助操作部１０５と上端把持部１０７と下端把持部１０９とを備え、下端把持部１０９を把持すると、補助操作部１０５が下方へ移動して上端把持部１０７が対象物を把持するように構成されている。そして、この遠隔操作棒１０１，２０１，３０１を用いると、遊持部１５は把持部１１よりも小径であるため、遊持部１５を遊持することができる。すなわち、把持部１１を遠隔操作棒１０１，２０１，３０１で把持して、遊持部１５を遠隔操作棒１０１，２０１，３０１で遊持して、電線表面１ａにテープ３を巻き付ける。
【００３６】
このように、遠隔操作棒１０１，２０１，３０１を用いて電線表面１ａにテープ３を巻き付けることができる。そのため、充電中の電線１に直接触れることなく、電線表面１ａにテープ３を巻き付けることができる。
【００３７】
また、把持部１１は遠隔操作棒１０１，２０１，３０１で把持可能に形成されており、遊持部１５は遠隔操作棒１０１，２０１，３０１で遊持可能に形成されている。そのため、把持部１１を把持した遠隔操作棒でテープ３を引っ張り、遊持部１５を遊持した遠隔操作棒で電線表面１ａにテープ３を巻き付けることができる。よって、把持部と遊持部とが同径なテープ巻用治具を用いて電線表面１ａにテープ３を巻き付ける場合と異なり、テープ３は、取り出し面から取り出されることなく、電線表面１ａに巻き付けられる。
【００３８】
また、芯４は、戴置部１３ａと固定具１４とにより軸方向への移動が阻止されている。そのため、作業中に、テープ巻用治具１０における芯４の位置がずれてしまうことはない。
【００３９】
また、把持部１１の側面には、滑り止め加工が施されている。これにより、把持部１１を安定して把持することができ、電線表面１ａにテープ３を安定させて巻き付けることができる。
【００４０】
また、遊持部１５の端部には、遊持解除阻止具１６が螺合されている。そのため、作業中に、遊持部１５の遊持が解除されてしまうことはない。よって、所望の位置に、確実にテープ３を巻き付けることができる。
【００４１】
次に、テープ巻用治具１０を用いて、電線表面１ａにテープ３を巻き付ける際の巻き付け方法を示す。なお、この方法では、遠隔操作棒として、把持用操作棒１０１とテープ張り付け用操作棒２０１と遊持用操作棒３０１との延べ３本の操作棒を用いる。
【００４２】
まず、テープ３をテープ巻用治具１０に取り付ける。具体的には、テープ３が巻かれた芯４を本体部１３ｂへ取り付け、螺合部１３ｃへ固定具１４を螺合させる。また、遊持部１５の先端へ遊持解除阻止具１６を螺合させる。
【００４３】
次に、テープ３の先端を電線表面１ａに張り付ける。具体的には、把持用操作棒１０１で把持部１１を把持して、テープ巻用治具１０を電線表面１ａの所定の位置に近づける。そして、図４に示すように、テープ張り付け用操作棒２０１でテープ３の先端を把持し、そのテープ３を電線表面１ａに接着させる。そして、図５に示すように、把持用操作棒１０１を操作して、テープ３の一部を取り出してテープ長手方向に引っ張る。
【００４４】
続いて、図６に示すように、遊持用操作棒３０１を用意する。そして、遊持用操作棒３０１で遊持部１５を遊持したら、把持用操作棒１０１による把持を解除する。そして、図７に示すように、遊持用操作棒３０１を操作して、テープ３を電線表面１ａに巻き付ける。
【００４５】
テープ３を電線表面１ａに半周分巻いたら、把持用操作棒１０１で把持部１１を把持し、遊持用操作棒３０１による遊持部１５の遊持を解除する。そして、把持用操作棒１０１を操作して、テープ３の一部を取り出して長手方向へ引っ張る。
【００４６】
続いて、遊持用操作棒３０１で遊持部１５を遊持して、把持用操作棒による把持を解除する。そして、遊持用操作棒３０１を操作して、テープ３を電線表面１ａに巻き付ける。以上の操作を繰り返し行うことにより、電線表面１ａにテープ３を巻き付けることができる。
【００４７】
そして、電線表面１ａにテープ３を巻き終えたら、カッターなどを用いてテープ３を切断する。
【００４８】
このように、把持用操作棒１０１や遊持用操作棒３０１などを用いて、電線表面１ａにテープ３を巻き付けることができる。そのため、電線１に直接触れることなく、その表面１ａにテープ３を巻き付けることができる。
【００４９】
続いて、遊持部１３を遊持しながらテープ３を電線表面１ａに巻き付けた際に、テープ３が電線表面１ａへ巻き付けられる様子を示す。なお、図中、「Ａ」，「Ｂ」，「Ｃ」及び「Ｄ」は、いずれも、仮想領域である。
【００５０】
まず、遊持用操作棒３０１を用いてテープ巻用治具１０を遊持した直後、テープ３は、図８（ａ）に示すように、Ａ領域とＤ領域との境界から延びて電線表面１ａに接着されている。
【００５１】
次に、図８（ｂ）に示すように、テープ巻用治具１０を略４５°回転させる。すると、テープ３は、電線表面１ａに巻き付けられる一方、Ａ領域とＤ領域との境界から延びている。すなわち、テープ３は、電線表面１ａに巻き付けられた場合であっても、取り出し面から取り出されることなく、電線表面１ａに巻き付けられる。
【００５２】
続いて、図８（ｃ）に示すように、テープ巻用治具１０をさらに略４５°回転させる。すると、テープ３は、電線表面１ａにさらに巻き付けられる一方、Ａ領域とＤ領域との境界から延びている。すなわち、テープ３は、電線表面１ａにさらに巻き付けられた場合であっても、取り出し面から取り出されることなく、電線表面１ａに巻き付けられる。
【００５３】
続いて、図８（ｄ）に示すように、テープ巻用治具１０をさらに略４５°回転させる。すると、テープ３は、電線表面１ａにさらに巻き付けられる一方、Ａ領域とＤ領域との境界から延びている。すなわち、テープ３は、電線表面１ａにさらに巻き付けられた場合であっても、取り出し面から取り出されることなく、電線表面１ａに巻き付けられる。
【００５４】
このように、テープ３は、遊持部１３を遊持しながら電線表面１ａに巻き付けられるため、取り出し面から取り出されることなく、電線表面１ａに巻き付けることができる。
【００５５】
なお、上記実施形態において、遊持部１５は、把持部１１の下端に同軸上に接続されていてもよい。この場合であっても、上記実施形態に記載の効果と略同一の効果を奏する。
【００５６】
また、テープ巻用治具は、テープ設置部と２つの遊持部とで構成されており、一方の遊持部が遊持部よりも大径の蓋材で覆われて形成されていてもよい。これにより、テープ巻用治具は、遊持部と遊持部よりも大径な軸部とを備えることとなり、上記実施形態と同一の効果を奏することができる。
【００５７】
また、テープ設置部と把持部及び遊持部とは、角柱であってもよく、頑丈な材質製であれば金属製に限定されることはない。また、把持部及び遊持部は、テープ設置部と同軸上に配置されて接続されていなくてもよく、テープ設置部と軸方向が略同一となるように配置されていればよい。
【００５８】
また、遠隔操作棒は、図３に記載する遠隔操作棒に限定されることはなく、公知の遠隔操作棒を用いることができる。また、把持用操作棒、テープ張り付け用操作棒及び遊持用操作棒は、同種の遠隔操作棒であるとしたが、異種の遠隔操作棒であってもよい。
【００５９】
また、テープ巻用治具の用途例として、電線表面１ａに変形させて使用するテープを巻き付ける例を示したが、これに限定されることはない。また、図４乃至図７では、上下方向に延びている対象物の表面にテープを巻き付ける場合を示したが、左右方向に延びている対象物であっても、複数回に亘って折曲されてなる対象物であっても、その表面に、テープ巻用治具を用いてテープを巻き付けることができることは言うまでもない。
【産業上の利用可能性】
【００６０】
以上説明したように、本発明は、テープ巻用治具及びそのテープの巻き方について有用である。
【図面の簡単な説明】
【００６１】
【図１】テープを取り付ける前のテープ巻用治具の斜視図である。
【図２】テープを取り付けた後のテープ巻用治具の斜視図である。
【図３】遠隔操作用の操作棒１０１，２０１，３０１の平面図である。
【図４】テープの巻き付け方法の第１工程を示す図である。
【図５】テープの巻き付け方法の第２工程を示す図である。
【図６】テープの巻き付け方法の第３工程を示す図である。
【図７】テープの巻き付け方法の第４工程を示す図である。
【図８】テープが電線表面に巻き付けられる様子を示す図である。
【図９】試作のテープ巻用治具において、テープが電線表面に巻き付けられる様子を示す図である。
【符号の説明】
【００６２】
１ａ    電線表面（対象物表面）
３，５３    テープ
４    芯
１０    テープ巻用治具
１１    把持部
１３    テープ設置部
１５    遊持部
１６    阻止具
Ａ    移動阻止手段
【図１】
2007028730.tif 000003
【図２】
2007028730.tif 000004
【図３】
2007028730.tif 000005
【図４】
2007028730.tif 000006
【図５】
2007028730.tif 000007
【図６】
2007028730.tif 000008
【図７】
2007028730.tif 000009
【図８】
2007028730.tif 000010
【図９】
2007028730.tif 000011